(57)【要約】【課題】  プリンタに任意の文字情報を印刷する機能を備えておらず、且つデジタルカメラが、任意文字情報を表示する機能を有していない場合に、利用者が誤った印刷を行うことを防止すること。【解決手段】  ＣＰＵブロック１０４３は、プリンタから受信した対応可能な印刷設定項目を参照して、プリンタがカメラメモ印字対応であるか否かを検証する。プリンタがカメラメモ印字対応の場合は、さらに、ＲＯＭ１０８の制御プログラムを参照して、デジタルカメラがカメラメモ印字対応であるか否かを検証する。プリンタがカメラメモ印字対応であり、かつデジタルカメラがカメラメモ印字対応であり、任意の文字情報を表示する機能を有している場合にのみカメラメモ印字選択項目を有する印刷設定画面を表示し、さもなければ、カメラメモ印字選択項目を有しない印刷設定画面を表示する。【選択図】  図２
2006253741.tif 000002
【特許請求の範囲】
【請求項１】
被写体を撮像して画像データとして出力する撮像手段と、前記画像データを画像ファイルとして記録する記録手段と、外部印刷機器へデータを送信する送信手段と、前記画像データに記録された任意の文字情報を表示する手段と、前記外部印刷機器の印刷設定可能情報を受信する手段と、印刷設定画面を表示する手段とを具備した撮像装置において、
前記外部印刷機器が、前記画像データに記録された任意の文字情報を印刷する機能に対応しているか否かを判定する第１の判定手段と、
自己が、前記画像データに記録された任意の文字情報を表示する機能を有しているか否かを判定する第２の判定手段と、
印刷時には、前記第１の判定手段により前記外部印刷機器が、前記画像データに記録された任意の文字情報を印刷する機能に対応しているとの判定がなされ、かつ、前記第２の判定手段により自己が、前記画像データに記録された任意の文字情報を表示する機能を有しているとの判定がなされたとき、印刷設定画面上に、任意の文字情報を印刷するか否かを利用者に選択させるための印刷設定項目を表示する表示手段と、
を備えたことを特徴とする撮像装置。
【請求項２】
前記第１の判定手段は、前記判定をなすに際して前記外部印刷機器から送信されてくる前記外部印刷機器の対応可能な印刷設定項目を参照することを特徴とする請求項１記載の撮像装置。
【請求項３】
前記第２の判定手段は、前記判定をなすに際して自己の制御プログラムを参照することを特徴とする請求項１または請求項２記載の撮像装置。
【請求項４】
被写体を撮像して画像データとして出力する撮像手段と、前記画像データを画像ファイルとして記録する記録手段と、外部印刷機器へデータを送信する送信手段と、前記外部印刷機器から受信した前記外部印刷機器の対応可能な印刷設定項目に対応した印刷設定画面を表示する手段とを具備した撮像装置において、
印刷設定項目のレイアウト設定で、任意の文字を印刷できるレイアウトが選択されている場合にのみ、印刷設定画面上に、任意の文字情報を印刷するか否かを利用者に選択させるための印刷設定項目を表示する表示手段を備えたことを特徴とする撮像装置。
【請求項５】
被写体を撮像して画像データとして出力する撮像手段と、前記画像データを画像ファイルとして記録する記録手段と、外部印刷機器へデータを送信する送信手段と、前記画像データに記録された任意の文字情報を表示する手段と、前記外部印刷機器の印刷設定可能情報を受信する手段と、印刷設定画面を表示する手段とを具備した撮像装置の表示方法において、
前記外部印刷機器が、前記画像データに記録された任意の文字情報を印刷する機能に対応しているか否かを判定する第１の判定ステップと、
自己が、前記画像データに記録された任意の文字情報を表示する機能を有しているか否かを判定する第２の判定ステップと、
印刷時には、前記第１の判定ステップにおいて前記外部印刷機器が、前記画像データに記録された任意の文字情報を印刷する機能に対応しているとの判定がなされ、かつ、前記第２の判定ステップにおいて自己が、前記画像データに記録された任意の文字情報を表示する機能を有しているとの判定がなされたときにのみ、印刷設定画面上に、任意の文字情報を印刷するか否かを利用者に選択させるための印刷設定項目を表示する表示ステップと、
を備えたことを特徴とする撮像装置における表示方法。
【請求項６】
前記第１の判定ステップは、前記判定をなすに際して前記外部印刷機器から送信されてくる前記外部印刷機器の対応可能な印刷設定項目を参照することを特徴とする請求項５記載の撮像装置における表示方法。
【請求項７】
前記第２の判定ステップは、前記判定をなすに際して自己の制御プログラムを参照することを特徴とする請求項５または請求項６記載の撮像装置における表示方法。
【請求項８】
被写体を撮像して画像データとして出力する撮像手段と、前記画像データを画像ファイルとして記録する記録手段と、外部印刷機器へデータを送信する送信手段と、前記外部印刷機器から受信した前記外部印刷機器の対応可能な印刷設定項目に対応した印刷設定画面を表示する手段とを具備した撮像装置の表示方法において、
印刷設定項目のレイアウト設定で、任意の文字を印刷できるレイアウトが選択されている場合にのみ、印刷設定画面上に、任意の文字情報を印刷するか否かを利用者に選択させる印刷設定項目を表示する表示ステップを備えたことを特徴とする撮像装置における表示方法。
【発明の詳細な説明】
【技術分野】
【０００１】
本発明は、撮像装置および撮像装置における表示方法に係り、特に、撮影画像に含まれる文字情報の印刷および印刷設定画面を制御する機能を有する撮像装置および撮像装置における表示方法に関する。
【背景技術】
【０００２】
近年、デジタルカメラ等の撮像装置では、被写体を撮影して出力される撮影画像だけではなく、文字情報、音声情報および線画等を記録し、表示することを可能にしたものや、印刷を可能にしたものが提供されている。
例えば、特許文献１（特開平１１−１４６３１１号公報）には、電子カメラにおいて被写体の画像と同時に記録された画像関連情報をプリンタにより記録用紙に印刷する技術が開示されている。
なお、このような文字情報として、撮像装置が対応機能を備える場合には、任意の文字列を撮像装置側で記録し、表示することも可能となっている。
また、撮影画像等の印刷システムは、撮像装置をコンピュータを介して印刷装置に接続するシステムだけとは限らず、撮像装置を直接印刷装置に接続して直接印刷するシステム（いわゆるダイレクトプリントシステム）も開発されている。
【０００３】
従来、このようなダイレクトプリントシステムでは、プリンタが有する対応機能に合わせてプリンタへの設定画面が表示される。この場合、例えば、プリンタが、印刷レイアウト、１コマ、４コマ、インデックスに対応した機能を有する場合は、撮像装置ではレイアウトの設定画面を表示して、利用者に、１コマか、４コマか、それともインデックスかを選択させることができる。プリンタが撮影画像の任意文字情報の印刷に対応した機能を有する場合には、撮像装置では任意文字印刷画面を表示し、利用者に、印刷する、しないを選択させることができる。
例えば、特許文献２（特開平１１−８８８１５号公報）には、画像データだけを印刷するか、若しくは撮影時の付加情報も含めて印刷するかの二者択一が可能な電子カメラにおいて、前記２つの印刷形態をモード選択させる手段と、画像の反転画像を印刷できる手段と、画像の反転画像が印刷指令された時には前記付加情報も含めて印刷するモードが選択されている時であっても前記反転画像だけを印刷して前記付加情報は印刷しないようにする手段とを備えたダイレクトプリントシステムが開示されている。
また、特許文献３（特開２００４−９６７６１号公報）には、プリンタから送信される描画情報に基づいて画像データを前記プリンタに適合したものに変換した後、プリンタに適合した同期信号で送出するダイレクトプリントシステムが開示されている。
【０００４】
【特許文献１】「特開平１１−１４６３１１号公報」
【特許文献２】「特開平１１−８８８１５号公報」
【特許文献３】「特開平１１−１４６３１１号公報」
【発明の開示】
【発明が解決しようとする課題】
【０００５】
ところで、上記背景技術で述べた従来の撮像装置およびその表示方法にあっては、例えば、デジタルカメラとプリンタを直接接続して、デジタルカメラの画像を印刷するダイレクトプリントシステムの場合、前述のとおり、プリンタが有する対応機能に合わせてプリンタへの設定画面が表示され、例えば、利用者に印刷レイアウトの設定画面を表示して、設定項目を選択させることができる。ここで、プリンタが撮影画像の任意文字情報の印刷に対応した機能を有する場合には、撮像装置では任意文字印刷画面を表示し、利用者に、印刷する、しないを選択させている。
しかしながら、デジタルカメラが、任意文字情報を表示する機能を有していない場合には、利用者は印刷前に印刷内容を確認することができないので、場合によっては誤った印刷を行ってしまうという問題点があった。
また、任意文字情報を印刷するか、しないかを選択させる画面表示が、任意文字の印刷ができないようなレイアウトを選択した時でも表示されており、場合によっては、利用者は誤って任意文字情報を印刷する指定を選択してしまう場合があり、さらに、どのレイアウトの時に、本当に任意文字情報が印刷されるのかが利用者には分からないままとなってしまうという問題点があった。
【０００６】
本発明は、上記従来の問題点に鑑みてなされたものであって、デジタルカメラが、任意文字情報を表示する機能を有していない場合に、利用者が誤った印刷を行うことを防止し得る撮像装置およびその表示方法を提供することを目的としている。
本発明の請求項１の目的は、上述した事情に鑑みてなされたもので、利用者が誤った印刷を行ってしまうことを防止し得る撮像装置を提供することにある。
本発明の請求項２の目的は、使用者が誤った判断をすることを防止し得る撮像装置を提供することにある。
本発明の請求項３の目的は、回路構成を簡単にすると共に、制御プログラムを取り替えるだけで仕様変更に対応できる撮像装置を提供することにある。
本発明の請求項４の目的は、印刷設定がし易い撮像装置を提供することにある。
本発明の請求項５の目的は、利用者が誤った印刷を行ってしまうことを防止し得る表示方法を提供することにある。
本発明の請求項６の目的は、使用者が誤った判断をすることを防止し得る表示方法を提供することにある。
本発明の請求項７の目的は、論理構成を簡単にすると共に、制御プログラムを取り替えるだけで仕様変更に対応できる表示方法を提供することにある。
本発明の請求項８の目的は、印刷設定がし易く、誤った印刷を防止し得る表示方法を提供することができる。
【課題を解決するための手段】
【０００７】
請求項１に記載した発明に係る撮像装置は、上記の目的を達成するために、被写体を撮像して画像データとして出力する撮像手段と、前記画像データを画像ファイルとして記録する記録手段と、外部印刷機器へデータを送信する送信手段と、前記画像データに記録された任意の文字情報を表示する手段と、前記外部印刷機器の印刷設定可能情報を受信する手段と、印刷設定画面を表示する手段とを具備した撮像装置において、
前記外部印刷機器が、前記画像データに記録された任意の文字情報を印刷する機能に対応しているか否かを判定する第１の判定手段と、
自己が、前記画像データに記録された任意の文字情報を表示する機能を有しているか否かを判定する第２の判定手段と、
印刷時には、前記第１の判定手段により前記外部印刷機器が、前記画像データに記録された任意の文字情報を印刷する機能に対応しているとの判定がなされ、かつ、前記第２の判定手段により自己が、前記画像データに記録された任意の文字情報を表示する機能を有しているとの判定がなされたとき、印刷設定画面上に、任意の文字情報を印刷するか否かを利用者に選択させるための印刷設定項目を表示する表示手段と、を備えたことを特徴としている。
【０００８】
また、請求項２に記載した発明に係る撮像装置は、前記第１の判定手段が、前記判定をなすに際して前記外部印刷機器から送信されてくる前記外部印刷機器の対応可能な印刷設定項目を参照することを特徴としている。
また、請求項３に記載した発明に係る撮像装置は、前記第２の判定手段が、前記判定をなすに際して自己の制御プログラムを参照することを特徴としている。
さらに、請求項４に記載した発明に係る撮像装置は、被写体を撮像して画像データとして出力する撮像手段と、前記画像データを画像ファイルとして記録する記録手段と、外部印刷機器へデータを送信する送信手段と、前記外部印刷機器から受信した前記外部印刷機器の対応可能な印刷設定項目に対応した印刷設定画面を表示する手段とを具備した撮像装置において、印刷設定項目のレイアウト設定で、任意の文字を印刷できるレイアウトが選択されている場合にのみ、印刷設定画面上に、任意の文字情報を印刷するか否かを利用者に選択させるための印刷設定項目を表示する表示手段を備えたことを特徴としている。
【０００９】
また、請求項５に記載した発明に係る表示方法は、被写体を撮像して画像データとして出力する撮像手段と、前記画像データを画像ファイルとして記録する記録手段と、外部印刷機器へデータを送信する送信手段と、前記画像データに記録された任意の文字情報を表示する手段と、前記外部印刷機器の印刷設定可能情報を受信する手段と、印刷設定画面を表示する手段とを具備した撮像装置の表示方法において、
前記外部印刷機器が、前記画像データに記録された任意の文字情報を印刷する機能に対応しているか否かを判定する第１の判定ステップと、
自己が、前記画像データに記録された任意の文字情報を表示する機能を有しているか否かを判定する第２の判定ステップと、
印刷時には、前記第１の判定ステップにおいて前記外部印刷機器が、前記画像データに記録された任意の文字情報を印刷する機能に対応しているとの判定がなされ、かつ、前記第２の判定ステップにおいて自己が、前記画像データに記録された任意の文字情報を表示する機能を有しているとの判定がなされたときにのみ、印刷設定画面上に、任意の文字情報を印刷するか否かを利用者に選択させるための印刷設定項目を表示する表示ステップと、を備えたことを特徴としている。
【００１０】
また、請求項６に記載した発明に係る表示方法は、前記表示方法において、前記第１の判定ステップが、前記判定をなすに際して前記外部印刷機器から送信されてくる前記外部印刷機器の対応可能な印刷設定項目を参照することを特徴としている。
また、請求項７に記載した発明に係る表示方法は、前記表示方法において、前記第２の判定ステップは、前記判定をなすに際して自己の制御プログラムを参照することを特徴とする。
さらに、請求項８に記載した発明に係る表示方法は、被写体を撮像して画像データとして出力する撮像手段と、前記画像データを画像ファイルとして記録する記録手段と、外部印刷機器へデータを送信する送信手段と、前記外部印刷機器から受信した前記外部印刷機器の対応可能な印刷設定項目に対応した印刷設定画面を表示する手段とを具備した撮像装置の表示方法において、印刷設定項目のレイアウト設定で、任意の文字を印刷できるレイアウトが選択されている場合にのみ、印刷設定画面上に、任意の文字情報を印刷するか否かを利用者に選択させる印刷設定項目を表示する表示ステップを備えたことを特徴としている。
【発明の効果】
【００１１】
請求項１に記載の発明に係る撮像装置によれば、外部印刷機器が前記画像データに記録された任意の文字情報を印刷する機能に対応しているか否かを第１の判定手段により判定し、かつ、自己が、前記画像データに記録された任意の文字情報を表示する機能を有しているか否かを第２の判定手段により判定し、印刷時には、前記外部印刷機器が、前記画像データに記録された任意の文字情報を印刷する機能に対応し、かつ、自己が、前記画像データに記録された任意の文字情報を表示する機能を有している場合にのみ、印刷設定画面上に、任意の文字情報を印刷するか否かを利用者に選択させるための印刷設定項目を表示するように構成したので、印刷する前に任意文字情報を確認することができ、また、自己に任意の文字情報を表示する機能を備えていない場合、若しくはプリンタに任意の文字情報を印刷する機能を備えていない場合には、印刷設定画面上に任意の文字情報を印刷する選択をするための印刷設定項目が表示されず、よって、利用者が誤った印刷を行ってしまったりすることを防止することができる。
【００１２】
請求項２に発明に係る撮像装置によれば、第１の判定手段が判定をなすに際して前記外部印刷機器から送信されてくる前記外部印刷機器の対応可能な印刷設定項目を参照するので、プリンタから任意の文字情報を印刷する機能を備えていないとの情報を受信した場合には、印刷設定画面上に任意の文字情報を印刷する選択をするための印刷設定項目を表示しないように構成したので、使用者が誤った判断をし、印刷の失敗を未然に防止することができる。
請求項３に記載の発明に係る撮像装置によれば、前記判定をなすに際して第２の判定手段が自己の制御プログラムを参照するので、これにより、回路構成を簡単にし、また、制御プログラムを取り替えるだけで仕様変更に対応することができる。
請求項４に記載の発明に係る撮像装置によれば、印刷設定項目のレイアウト設定で、任意の文字を印刷できるレイアウトが選択されている場合にのみ、印刷設定画面上に、任意の文字情報を印刷するか否かを利用者に選択させるための印刷設定項目が表示されるので、任意の文字情報の印刷の可否が明確に判り、利用者が誤った印刷設定項目の選択をなすことを防止することができる。
【００１３】
請求項５に記載の発明に係る撮像装置における表示方法によれば、外部印刷機器が、前記画像データに記録された任意の文字情報を印刷する機能に対応しているか否かを第１の判定手段により判定し、かつ、自己が、前記画像データに記録された任意の文字情報を表示する機能を有しているか否かを第２の判定手段により判定し、印刷時には、前記外部印刷機器が、前記画像データに記録された任意の文字情報を印刷する機能に対応し、かつ、自己が、前記画像データに記録された任意の文字情報を表示する機能を有している場合にのみ、印刷設定画面上に、任意の文字情報を印刷するか否かを利用者に選択させるための印刷設定項目を表示し、自己に任意の文字情報を表示する機能を備えていない場合、若しくはプリンタに任意の文字情報を印刷する機能を備えていない場合には、印刷設定画面上に任意の文字情報を印刷する選択をするための印刷設定項目を表示しないので、これにより、任意文字情報が印刷される設定が利用者に明確に分り、利用者が誤った印刷を行ってしまうことを未然に防止することができる。
【００１４】
請求項６に記載の発明に係る撮像装置における表示方法によれば、前記判定をなすに際して前記外部印刷機器から送信されてくる前記外部印刷機器の対応可能な印刷設定項目を参照し、プリンタから任意の文字情報を印刷する機能を備えていないとの情報を受信した場合には、印刷設定画面上に任意の文字情報を印刷する選択をするための印刷設定項目を表示しないので、使用者が誤った判断をし誤った印刷をすることを未然に防止することができる。
請求項７に記載の発明に係る撮像装置における表示方法によれば、前記判定をなすに際して自己の制御プログラムを参照するので、これにより、論理構成が簡単となり、また、制御プログラムを取り替えるだけで仕様変更に対応することができる。
請求項８に記載の発明に係る撮像装置における表示方法によれば、印刷設定項目のレイアウト設定で、任意の文字を印刷できるレイアウトが選択されている場合にのみ、印刷設定画面上に、任意の文字情報を印刷するかしないかを利用者に選択させるための印刷設定項目を表示するので、どのレイアウトのとき、任意の文字情報の印刷が可能か否かが分り、間違った印刷を防止することができる。
【発明を実施するための最良の形態】
【００１５】
以下、本発明の撮像装置および撮像装置における表示方法（以下、単に「表示方法」ということがある。）の最良の実施の形態について、図面を参照して詳細に説明する。
図１は、本発明の実施の形態に係る撮像装置の外観図であり、（ａ）は平面図、（ｂ）は正面図、（ｃ）は背面図、をそれぞれ示す。
同図において、本発明の実施の形態の撮像装置（この場合、デジタルカメラ）は、外観上の主要な機械的構成要素として、表示画面のサブＬＣＤ１と、ＳＤカード／電池蓋２と、ストロボ発光部３と、光学ファインダ４と、測距ユニット５と、リモコン受光部６と、鏡銅ユニット７と、ＡＦ−ＬＥＤ８と、ストロボＬＥＤ９と、ＬＣＤモニタ１０と、を具備する。
また、スイッチ類や、操作手段として、レリーズシャッターＳＷ１と、モードダイアルＳＷ２と、ＺＯＯＭ−ＳＷ（ＷＩＤＥ）ＳＷ３と、ＺＯＯＭ−ＳＷ（ＴＥＬＥ）ＳＷ４と、セルフタイマ／削除ＳＷ（ＳＷ５）と、ＭＥＮＵ−ＳＷ（ＳＷ６）と、上／ストロボＳＷ（ＳＷ７）と、右／ストロボＳＷ（ＳＷ８）と、ＤＩＳＰＬＡＹ−ＳＷ（ＳＷ９）と、下／マクロＳＷ（ＳＷ１０）と、左／画像確認ＳＷ（ＳＷ１１）と、ＯＫ−ＳＷ（ＳＷ１２）と、電源ＳＷ（ＳＷ１３）と、を具備する。
なお、本発明に係る撮像装置の外観は、必ずしも図１に示す外観に限定されるものではなく、他の外観を備えていても構わない。
【００１６】
図２は、本発明の実施の形態に係る撮像装置の主要な回路構成を示すブロック図である。図２では、図１に示す機械的要素を動作させる回路要素については、図１と同じ符号を付している。
本実施の形態では、Bluetooth規格に従う印刷の場合について記載しているが、本発明は、一般に、Bluetooth規格以外の接続方法であっても実施可能である。
図１において、本実施の形態の撮像装置（デジタルカメラ）は、主要な回路要素として、鏡銅ユニット７と、Ｆ／Ｅ（フロントエンド）−ＩＣ１０２と、各種画像データを格納するＳＤＲＡＭ１０３と、デジタルスチルカメラプロセッサ１０４と、ＲＡＭ１０７と、制御プログラムを格納するＲＯＭ１０８と、ＳＵＢ−ＣＰＵ１０９と、音声情報を入出力する音声ユニット１０５と、Bluetooth規格による接続を可能にするBluetooth回路１３０と、を具備する。
また、その他の回路要素として、サブＬＣＤ１と、ストロボ発光部３と、測距ユニット５と、リモコン受光部６と、ＡＦ−ＬＥＤ８と、ストロボＬＥＤ９と、ＬＣＤモニタ１０と、ブザー１１３と、ストロボ回路１１４と、ＳＷ１〜１３を配設した操作Ｋｅｙユニット１１５と、ＬＣＤドライバ１１１と、ビデオＡＭＰ１１８と、ビデオジャック１１９と、内蔵メモリ１２０と、メモリカードスロットル１２１と、ＵＳＢコネクタ１２２と、シリアルドライバ回路１２３１と、ＲＳ−２３２Ｃコネクタ１２３２と、を具備する。
【００１７】
鏡銅ユニット７は、ズームレンズ７１ａとズーム駆動モータ７１ｂとを備えたズーム光学系７１と、フォーカスレンズ７２ａとフォーカス駆動モータ７２ｂとを備えたフォーカス光学系７２と、絞り７３ａと絞りモータ７３ｂとを備えた絞りユニット７３と、メカシャッタ７４ａとメカシャッタモータ７４ｂとを備えたメカシャッタユニット７４と、モータドライバ７５と、を具備する。
Ｆ／Ｅ−ＩＣ１０２は、画像ノイズ除去を行うＣＤＳ１０２１と、自動利得制御を行うＡＧＣ１０２２とアナログ信号をデジタル信号に変換するＡ／Ｄ１０２３と駆動タイミング信号を発生するＴＧ１０２４と、を具備する。
デジタルスチルカメラプロセッサ１０４は、ＣＣＤ信号処理ブロック１０４１と、ＣＣＤ２信号処理ブロック１０４２と、ＣＰＵブロック１０４３と、画像データ等を記録することができるＬｏｃａｌ−ＳＲＡＭ１０４４と、ＵＳＢブロック１０４５と、シリアルブロック１０４６と、ＪＰＥＧ−ＣＯＤＥＣブロック１０４７と、ＲＥＳＩＺＥブロック１０４８と、ＴＶ信号表示ブロック１０４９と、メモリカードコントロールブロック１０４１０と、を具備する。
【００１８】
音声ユニット１０５は、音声記録回路１１５１と、マイクＡＭＰ１１５２と、マイク１１５３と、音声再生回路１１６１と、オーディオＡＭＰ１１６２と、スピーカー１１６３と、を具備する。
なお、メモリカードスロットル１２１は、少なくとも、メモリカード、ＬＡＮカード、無線ＬＡＮカード、Bluetooth規格カードを装着するためのスロットルである。
本実施の形態に係る撮像装置では、外部装置である印刷機器への接続を、ＵＳＢ規格に準拠したＵＳＢコネクタ１２２を介して、ＵＳＢケーブルを用いて行うことができる。また、Bluetooth規格に準拠したコネクタや、接続ケーブルを使用して接続することもできる。
Bluetooth規格の機器へ接続する場合は、Bluetooth回路１３０（オプショナル）を介して接続するものとする。Bluetooth回路１３０が無い場合は、メモリカードスロットル１２１にBluetoothカードを接続することにより、Bluetooth規格の外部機器と接続することができる。イーサネット（登録商標）への接続は、イーサネット（登録商標）接続回路もしくは無線イーサンセット接続回路（オプショナルであり、図示は省略する）により行うものとする。イーサネット（登録商標）回路がない場合は、メモリカードスロットル１２１にLANカードまたは無線LANカードを接続することにより、ネットワークへ接続することができる。
【００１９】
以下では、本実施の形態に係る撮像装置（デジタルカメラ）とプリンタとがＵＳＢ規格に準拠して接続されるものとする。
なお、本発明に係る撮像装置の回路構成は、必ずしも図１に示す回路構成に限定されるものではない。
以下、図１，２を参照して、本実施の形態に係る撮像装置（デジタルカメラ）の一般的な動作を説明する。
モータドライバ７５は、リモコン受光部６の入力や、ＳＷ１〜ＳＷ１３を配した操作部Ｋｅｙユニット１１５の操作入力に基づき、デジタルスチルカメラプロセッサ１０４内のＣＰＵブロック１０４３からの駆動指令により駆動制御される。
ＲＯＭ１０８には、ＣＰＵブロック１０４３にて解読可能なコードで記述されている制御プログラムや、制御に必要なパラメータ等が格納されている。本装置（デジタルカメラ）の電源がオン状態になると、この制御プログラム等は、図示しないメインメモリにローディングされ、前記ＣＰＵブロック１０４３は、このローディングされたプログラムに従って本装置の各構成要素の動作を制御すると共に、制御に必要なデータ等を、一時的に、ＲＡＭ１０７およびデジタルスチルカメラプロセッサ１０４のＬｏｃａｌ−ＳＲＡＭ１０４４に格納し、保存する。ＲＯＭ１０８を、書き換え可能なフラッシュＲＯＭで構成することで、制御プログラムや制御パラメータを変更することが可能となり、本装置の機能的なバージョンアップが容易となる。
【００２０】
ＣＣＤ１０１は、光学画像を光電変換するための固体撮像素子であり、ＴＧ（１０２４）が出力する駆動タイミング信号で動作する。
Ｆ／Ｅ−ＩＣ１０２は、画像ノイズ除去用相関二重サンプリングを行うＣＤＳ１０２１、利得調整を行うＡＧＣ１０２２、デジタル信号変換を行うＡ／Ｄ１０２３およびＣＣＤ１信号処理ブロック１０４１を備えるが、これらの各回路要素も、ＴＧ１０２４が出力する駆動タイミング信号で動作する。
なお、ＴＧ１０２４は、ＣＣＤ１信号処理ブロック１０４１から垂直同期信号（以下、「ＶＤ」と略記する）と、水平同期信号（以下、「ＨＤ」と略記する）とを供給され、ＣＰＵブロック１０４３によって制御されて前述の駆動タイミング信号を出力する。
デジタルスチルカメラプロセッサ１０４は、ＣＣＤ１０１からＦ／Ｅ―ＩＣ１０２を介して出力される画像データにホワイトバランス設定やガンマ設定を行う。また、前述したように、ＣＣＤ１信号処理ブロック１０４１は、ＶＤ信号、ＨＤ信号をＴＧ１０２４に供給する。
【００２１】
ＣＣＤ２信号処理ブロック１０４２は、フィルタリング処理により、入力された画像データに対して、輝度データ・色差データへの変換処理を行う。ＣＰＵブロック１０４３は、本装置の各構成要素の動作を制御する。Ｌｏｃａｌ−ＳＲＡＭ１０４４は、ＣＰＵブロック１０４３における制御に必要なデータ等を、一時的に保存する。
ＵＳＢブロック１０４５は、パーソナルコンピュータ（以下、「パソコン」と略称する）などの外部機器と、ＵＳＢ規格に準拠した通信を行う。
シリアルブロック１０４６は、パソコンなどの外部機器とシリアル通信を行う。
ＪＰＥＧ−ＣＯＤＥＣブロック１０４７は、ＪＰＥＧ圧縮・伸張を行う。
ＲＥＳＩＺＥブロック１０４８は、画像データのサイズを補間処理により拡大／縮小する。
ＴＶ信号表示ブロック１０４９は、画像データ（信号）を、液晶モニタやＴＶ（テレビ放送受信機）などの外部表示機器に表示することができるビデオ信号に変換する。
メモリカードコントローラブロック１０４１０は、撮影された画像データを記録するメモリカードの制御を行う。
【００２２】
ＳＤＲＡＭ１０３は、デジタルスチルカメラプロセッサ１０４が画像データに対して各種変換処理を施す際に、画像データを一時的に格納し、保存する。保存される画像データの種類は、例えば、ＣＣＤ１０１から、Ｆ／Ｅ−ＩＣ１０２を介して取り込まれたものであり、具体的には、ＣＣＤ１信号処理ブロック１０４１でホワイトバランス設定およびガンマ設定が行われた状態の「ＲＡＷ−ＲＧＢ画像データ」、ＣＣＤ２制御ブロック１０４２で輝度データ・色差データ変換が行われた状態の「ＹＵＶ画像データ」およびＪＰＥＧ−ＣＯＤＥＣブロック１０４７で、ＪＰＥＧ圧縮された「ＪＰＥＧ画像データ」などである。
メモリカードスロットル１２１は、着脱可能なメモリカードを装着するためのスロットルである。装着できるカードの種類は前述のとおりである。
内蔵メモリ１２０は、前述したメモリカードスロットル１２１にメモリカードが装着されていない場合でも、撮影した画像データを記憶できるようにするためのメモリである。
【００２３】
ＬＣＤドライバ１１７は、後述するＬＣＤモニタ１０を駆動するためのドライブ回路であるが、ＴＶ信号表示ブロック１０４９から出力されるビデオ信号を、ＬＣＤモニタ１０に表示するための信号に変換する機能も有している。ＬＣＤモニタ１０は、撮影前に被写体の状態を監視し、撮影した画像を確認し、メモリカードや前述した内蔵メモリ１２０に記録した画像データを表示するためのモニタである。
ビデオＡＭＰ１１８は、ＴＶ信号表示ブロック１０４９から出力されるビデオ信号を、７５Ωインピーダンスで変換するためのアンプであり、ビデオジャック１１９は、ＴＶなどの外部表示機器と接続するためのジャックである。
ＵＳＢコネクタ１２２は、パソコンなどの外部機器とＵＳＢ接続を行うためのコネクタである。シリアルドライバ回路１２３１は、パソコンなどの外部機器とシリアル通信を行うために、前述したシリアルブロック１０４６の出力信号を電圧変換するための回路であり、ＲＳ−２３２Ｃコネクタ１２３２は、パソコンなどの外部機器とシリアル接続を行うためのコネクタである。
【００２４】
ＳＵＢ−ＣＰＵ１０９は、ＲＯＭ・ＲＡＭをワンチップに内蔵したＣＰＵであり、操作Ｋｅｙユニット１１５およびリモコン受光部６から出力される信号を、ユーザの操作情報として、前述したＣＰＵブロック１０４３に出力する。また、ＳＵＢ−ＣＰＵ１０９は、前述したＣＰＵブロック１０４３から出力されるカメラの状態を、図１に示したサブＬＣＤ１、ＡＦ−ＬＥＤ８、ストロボＬＥＤ９およびブザー１１３を制御するための制御信号に変換して、出力する。
サブＬＣＤ１は、例えば、撮影可能枚数など表示するための表示部であり、ＬＣＤドライバ１１１は、前述したＳＵＢ−ＣＰＵ１０９の出力信号を受けて、前述したサブＬＣＤ１を駆動するためのドライブ回路である。ＡＦ−ＬＥＤ８は、撮影時の合焦状態を表示するためのＬＥＤであり、ストロボＬＥＤ９は、ストロボ充電状態を表すためのＬＥＤである。なお、ＡＦ−ＬＥＤ８と、ストロボＬＥＤ９とを、メモリカードアクセス中などの別の表示用途に使用することも可能である。ＳＷ１〜１３（図１）を配設した操作Ｋｅｙユニット１１５は、利用者が操作するＫｅｙ回路であり、リモコン受光部６は、ユーザが操作するリモコン送信機の信号を受信する。
【００２５】
音声ユニット１０５は、ユーザが音声信号を入力するマイク１１５３、入力された音声信号を増幅するマイクＡＭＰ１１５２、増幅された音声信号を記録する音声記録回路１１５３、記録された音声信号をスピーカーから出力できる信号に変換する音声再生回路１１６１、変換された音声信号を増幅し、スピーカーを駆動するためのオーディオＡＭＰ１１６２、音声信号を出力するスピーカー１１６３から成る。
以下、図１，２を参照して、本実施の形態に係る撮像装置（デジタルカメラ）の特徴的な機能および構成について説明する。
この実施の形態では、利用者が、モニタに表示される設定画面を選択することにより、任意の文字列を撮影画像に記録することができる。また、この撮影画像に記録された任意文字列を表示することもできる。
図３は、本実施の形態に係る撮像装置のモニタに表示される設定画面の一例を示すものである。図４は、本実施の形態に係る撮像装置のモニタに表示される設定画面の他の一例を示すものである。図５は、本実施の形態に係る撮像装置のモニタに表示される設定画面の（さらに）他の一例を示すものである。まず、画像データに付随する任意文字列がカメラメモである場合を例にとって説明する。
【００２６】
デジタルカメラとプリンタが接続されると、プリンタからカメラへ、対応可能な印刷設定項目が送られてくる。例えば、用紙サイズは、Ａ４、２Ｌ版、Ｌ版に対応、用紙種類は、普通紙、フォト紙に対応、レイアウトは、１コマ、２コマ（紙１枚に２コマ印刷する）、インデックスに対応、帳票印刷は、１コマ罫線有り（画像と罫線の印刷）、２コマ罫線有りに対応、帳票カメラメモ印字（画像の文字情報を印刷）は、ＯＮとＯＦＦに対応、画像印刷サイズは、８″×１０″、１０×７〔ｃｍ〕に対応しているとの情報がプリンタから送られてくる。
利用者が、デジタルカメラで印刷画像を選択すると、ＬＣＤモニタ１０（図１）の画面が印刷設定画面になる。図３〜５に示す各印刷設定画面は、カラー表示され、例えばオレンジ、または薄青の部分は「用紙サイズ」、「用紙種類」、「レイアウト」、「帳票印刷」、「帳票カメラメモ印字」、「画像印刷サイズ」等の設定項目であり、濃い青の部分が当該設定項目の、設定されている値「Ａ４」、「普通紙」、「１コマ」、「１コマ罫線あり」、「ＯＮ」、「８″×１０″」になる。（但し、添付図面は、モノトーン画像であるため、カラー表示されていない。）
図３は、利用者により選択された設定項目（オレンジ表示で示す「用紙サイズ」）が、全体（ここでは１０項目としている）における最初の項目である場合の設定画面、図４は、同４番目の項目である「帳票印刷」の設定画面、図５は、同５番目の項目である「帳票カメラメモ印字」の設定画面を、それぞれ示している。
このデジタルカメラは、撮影画像の任意の文字列を表示する機能が有るので、図５に示すように、任意の文字列を印刷するか否かを選択する表示項目（帳票カメラメモ印字）が表示される。
このデジタルカメラに撮影画像の任意の文字列を表示する機能が無い場合は、図５に示す任意の文字列を印刷するか否かを選択する表示項目（帳票カメラメモ印字）は表示されない。
次に、画像データに付随する任意文字列が撮影設定（ＩＳＯ感度設定）カメラメモである場合を例にとって説明する。
この場合は、設定項目として、撮影ＩＳＯ感度設定（AUTO、ISO100、ISO200）が表示可能となり、選択された設定を撮影画像に記録することができる。また、撮影された画像のＩＳＯ感度を表示する（AUTO、ISO100、ISO200）ことも可能となり、選択された設定を撮影画像に記録することができる。
【００２７】
カメラとプリンタが接続されると、プリンタからカメラへ印刷設定可能項目が送られてくる。例えば、用紙サイズは、Ａ４、２Ｌ版、Ｌ版に対応、用紙種類は、普通紙、フォト紙に対応、レイアウトは、１コマ、２コマ（紙１枚に２コマ印刷する）、インデックスに対応、撮影ＩＳＯ感度印刷は、ＯＮとＯＦＦとに対応しているとの情報がプリンタから送られてくる。
利用者が、デジタルカメラで印刷画像を選択すると、印刷設定画面になる。このデジタルカメラは、撮影画像のＩＳＯ感度設定内容を表示する機能があるので、印刷設定画面に任意の文字列を印刷するかしないかを選択する表示項目（ＩＳＯ感度設定印字）が表示される。
一般に、本実施の形態に係るデジタルカメラでは、プリンタが撮影画像の任意の文字列を印刷する機能を有しているか否かを第１の判定手段により判定し、プリンタが撮影画像の任意の文字列を表示する機能を有していないと判定された場合には、印刷設定画面に任意の文字列を印刷するか否かを選択させる表示項目（ＩＳＯ感度設定印字）を表示しない。
【００２８】
また、一般に、本実施の形態に係るデジタルカメラでは、デジタルカメラが撮影画像の任意の文字列を表示する機能を有しているか否かを第２の判定手段により判定し、デジタルカメラが撮影画像の任意の文字列を表示する機能を有していないと判定された場合には、印刷設定画面に任意の文字列を印刷するか否かを選択させる表示項目（ＩＳＯ感度設定印字）を表示しない。
以下、本発明の実施の形態に係る動作を説明する。
まず、撮影された画像の任意文字列の表示方法について説明する。
図１０は、本実施の形態に係る撮像装置において画像データに付随する文字情報が表示されるまでの処理手順の一例を示すフローチャートである。
まず、利用者は、カメラのＵＳＢコネクタ１２２（図２）と、プリンタとを、ＵＳＢケーブルで接続する（ステップＳ１）。これにより、プリンタとの通信が開始されて接続処理が完了する（ステップＳ２）。
【００２９】
次に、ＣＰＵブロック１０４３は、デジタルカメラに記録されているファイルを再生する。具体的には、Ｌｏｃａｌ−ＳＲＡＭ１０４４、若しくは、メモリカード、ＬＡＮカード、無線ＬＡＮカード、Bluetooth規格カード等に記録されている画像データを、メモリカードスロットル１２１を介して、読み込み、ＬＣＤモニタ１０に送出して画像を表示させる（ステップＳ３）。
ここで、利用者が、ＤＩＳＰＬＡＹ−ＳＷ（ＳＷ９）（図１）を押下する（ステップＳ４）。これにより、ＣＰＵブロック１０４３は、表示ファイルのヘッダー情報を参照して、カメラメモ情報を読み出し、図１１に示すように、再生されるファイルデータの画像上にカメラメモ情報の内容をＬＣＤモニタ１０に表示する（ステップＳ５）。
図１１は、本実施の形態に係る撮像装置におけるカメラメモ情報の表示状態を示す説明図である。
同図に示すように、利用者が、ＤＩＳＰＬＡＹ−ＳＷ（ＳＷ９）（図１）を押下した場合、ファイルデータが再生されると共に、ＬＣＤモニタ１０の当該ファイルデータの画像上には、カメラメモ情報の内容が表示される。
【００３０】
図１２は、本実施の形態に係る撮像装置において印刷設定項目の表示の有無を決めるまでの処理手順の一例を示すフローチャートである。
まず、利用者は、カメラのＵＳＢコネクタ１２２（図２）と、プリンタとを、ＵＳＢケーブルで接続する（ステップＳ１１）。
これにより、ＣＰＵブロック１０４３は、プリンタからデジタルカメラへ送られてくる対応可能な印刷設定項目を受信する（ステップＳ１２）。なお、この時のプリンタの対応可能な印刷設定項目（デジタルカメラに送られてくる印刷設定可能項目）は、ここでは以下のとおりとする。
用紙サイズは、Ａ４、２Ｌ版、Ｌ版に対応、用紙種類は、普通紙、フォト紙に対応、レイアウトは、１コマ、２コマ（紙１枚に２コマ印刷する）、インデックスに対応、帳票印刷は、１コマ罫線有り（画像と罫線の印刷）、２コマ罫線有りに対応、帳票カメラメモ印字（画像の文字情報を印刷）は、ＯＮとＯＦＦに対応、画像印刷サイズは、８″×１０″、１０×７〔ｃｍ〕に対応可能である。
印刷設定可能項目の受信が完了すると、次に、ＣＰＵブロック１０４３は、デジタルカメラに記録されているファイルを再生する。具体的には、Ｌｏｃａｌ−ＳＲＡＭ（１０４４）、若しくは、メモリカード、ＬＡＮカード、無線ＬＡＮカード、Bluetooth規格カード等に記録されている画像データを、メモリカードスロットル１２１を介して、読み込み、ＬＣＤモニタ１０に送出して画像を表示させる（ステップＳ１３）。
【００３１】
次に、利用者は、デジタルカメラの左画像確認ＳＷ（ＳＷ１１）（図１）と、右ＳＷ（ＳＷ８）（図１）とを適当に押下することにより、印刷すべき印刷画像を選択する（ステップＳ１４）。
次に、利用者が、デジタルカメラのＭＥＮＵ−ＳＷ（ＳＷ６）（図１）を押下すると、ＣＰＵブロック１０４３は、プリンタから受信した対応可能な印刷設定項目を参照して、ＬＣＤモニタ１０に印刷設定画面を表示する（ステップＳ１５）。なお、帳票印刷の意味および印刷設定画面については前述のとおりである。
次に、例えば、ＲＯＭ１０８の制御プログラムに含まれる第１の判定手段が、プリンタから受信した印刷設定可能項目を参照して、プリンタがカメラメモ印字対応であるか否かを検証し、プリンタがカメラメモ印字対応であると判定した場合はステップＳ１７に進み、プリンタがカメラメモ印字対応ではないと判定した場合はステップＳ１９に移る（ステップＳ１６）。
ステップＳ１７では、第２の判定手段が、ＲＯＭ１０８（図２）の制御プログラムを参照して、デジタルカメラがカメラメモ印字対応であるか否かを検証し、プリンタがカメラメモ印字対応であると判定した場合はステップＳ１８に進み、プリンタがカメラメモ印字対応ではないと判定した場合は、ステップＳ１９に移る（ステップＳ１６）。
【００３２】
ステップＳ１８では、ＣＰＵブロック１０４３が、ＬＣＤモニタ１０に、カメラメモ印字選択項目を有する印刷設定画面を表示し、処理を終了する。
【００３３】
ステップＳ１９では、ＣＰＵブロック１０４３が、ＬＣＤモニタ１０に、カメラメモ印字選択項目を有しない印刷設定画面を表示し、処理を終了する。なお、ここでは、デジタルカメラもプリンタもカメラメモ表示機能に対応しているので、ＬＣＤモニタ１０には、任意の文字列を印刷するかしないかを選択する選択項目、即ち、カメラメモ印字選択項目を有する表示項目（帳票カメラメモ印字）が表示される。
次に、本発明の他の実施態様を説明する。
この実施態様でも、利用者が、モニタに表示される設定画面を選択することにより、任意の文字列を撮影画像に記録することができる。また、この撮影画像に記録された任意文字列を表示することもできる。
図６は、本実施の形態に係る撮像装置のモニタに表示される設定画面の一例を示すものである。
図７は、本実施の形態に係る撮像装置のモニタに表示される設定画面の他の一例を示すものである。
【００３４】
図８は、本実施の形態に係る撮像装置のモニタに表示される設定画面のさらに他の一例を示すものである。
（但し、図６，７，８は、それぞれ図３，４，５と同じである）
以下では、まず、レイアウト設定項目が２つある場合について説明する。
デジタルカメラとプリンタが接続されると、プリンタからカメラへ、対応可能な印刷設定項目が送られてくる。例えば、用紙サイズは、Ａ４、２Ｌ版、Ｌ版に対応、用紙種類は、普通紙、フォト紙に対応、レイアウトは、１コマ、２コマ（紙１枚に２コマ印刷する）、インデックスに対応、帳票印刷は、1コマ罫線有り（画像と罫線の印刷）、２コマ罫線有りに対応、帳票カメラメモ印字（画像の文字情報を印刷）は、ＯＮとＯＦＦに対応、画像印刷サイズは、８″×１０″、１０×７ｃｍに対応しているとの情報がプリンタから送られてくる。
図９は、本実施の形態に係る撮像装置の印刷設定項目の１つである帳票印刷の印刷形式を説明するための説明図である。
ここで、帳票印刷とは、図９に示すように、選択画像と罫線とを並べて印刷する機能のことであり、帳票カメラメモ印字は、帳票印刷が設定されている場合にのみ有効となり、画像の文字情報が印字される。帳票印刷設定が設定されている場合（ＯＮが選択されている場合）は、設定項目のレイアウト項目は、選択されていても無視されて印刷される（この場合、帳票印刷で選択されているレイアウトで印刷される）。
【００３５】
利用者が、デジタルカメラで印刷画像を選択すると、印刷設定画面になる。図６〜８に示す各印刷設定画面はカラー表示され、オレンジ、または薄青の部分は設定項目であり、濃い青の部分が当該設定項目の、設定されている値になる（但し、添付図面では、モノトーンで表示されている）。
図６は、利用者により選択された設定項目（用紙サイズがオレンジ色で表示されているものとする）が、全体（ここでは１０項目としている）における最初の項目である場合の設定画面、図７は、同４番目の項目である場合の設定画面、図８は、同５番目の項目である場合の設定画面を、それぞれ示している。ここでは、図７に示すように、設定項目の帳票印刷で１コマ罫線有りが選択されているので、帳票カメラメモ印字が可能となり、図８に示すように、カメラメモ印字の項目が表示される。
帳票印刷の設定でＯＦＦが選択されている場合は、カメラメモ印字ができないので、印刷設定画面で、帳票カメラメモ印字は、表示されない。
【００３６】
次に、レイアウト設定項目が１つの場合について説明する。
デジタルカメラとプリンタが接続されると、プリンタからカメラへ、対応可能な印刷設定項目が送られてくる。例えば、用紙サイズは、Ａ４、２Ｌ版、Ｌ版に対応、用紙種類は、普通紙、フォト紙に対応、レイアウトは、１コマ、１コマ罫線有り（画像と罫線の印刷）、インデックスに対応、帳票カメラメモ印字（画像の文字情報を印刷）は、ＯＮとＯＦＦに対応、画像印刷サイズは、８″×１０″、１０×７ｃｍに対応しているとの情報がプリンタから送られてくる。
ここで、レイアウトの１コマ罫線有りとは、図９に示す帳票印刷の印刷形式と同じであり、選択画像と罫線を並べて印刷する機能のことである。設定項目のレイアウトで、１コマ罫線有りが選択されている場合にのみ、カメラメモ印字ができる。
利用者が、デジタルカメラで印刷画像を選択すると、印刷設定画面になる。
この印刷設定で、設定項目のレイアウトとして１コマ罫線有りが選択されている場合は、前述のとおり、帳票カメラメモ印字が可能で、印刷設定画面にカメラメモ印字の項目が表示される。しかしながら、レイアウトで、１コマ罫線有り以外の項目（即ち、１コマまたはインデックス）が選択されている場合は、帳票カメラメモ印字ができないので、この場合は、印刷設定画面で、帳票カメラメモ印字も表示されないようにしている。
【００３７】
図１３は、本実施の形態に係る撮像装置において印刷設定画面表示までの処理手順の一例を示すフローチャートである。
まず、利用者は、カメラのＵＳＢコネクタ１２２（図２）と、プリンタとを、ＵＳＢケーブルで接続する（ステップＳ２１）。これにより、ＣＰＵブロック１０４３は、プリンタからデジタルカメラへ送られてくる対応可能な印刷設定項目を受信する（ステップＳ２２）。なお、この時のプリンタの対応可能な印刷設定項目（デジタルカメラに送られてくる印刷設定可能項目）は、ここでは以下のとおりとする。
用紙サイズは、Ａ４、２Ｌ版、Ｌ版に対応、用紙種類は、普通紙、フォト紙に対応、レイアウトは、１コマ、２コマ（紙１枚に２コマ印刷する）、インデックスに対応、帳票印刷は、１コマ罫線有り（画像と罫線の印刷）、２コマ罫線有りに対応、帳票カメラメモ印字（画像の文字情報を印刷）は、ＯＮとＯＦＦに対応、画像印刷サイズは、８″×１０″、１０×７〔ｃｍ〕に対応可能である。
印刷設定可能項目の受信が完了すると、次に、ＣＰＵブロック１０４３は、デジタルカメラに記録されているファイルを再生する。具体的には、Ｌｏｃａｌ−ＳＲＡＭ１０４４、若しくは、メモリカード、ＬＡＮカード、無線ＬＡＮカード、Bluetooth規格カード等に記録されている画像データを、メモリカードスロットル１２１を介して、読み込み、ＬＣＤモニタ１０に送出して画像を表示させる（ステップＳ２３）。
【００３８】
次に、利用者は、デジタルカメラの左画像確認ＳＷ（ＳＷ１１）（図１）と、右ＳＷ（ＳＷ８）（図１）とを適当に押下することにより、印刷すべき印刷画像を選択する（ステップＳ２４）。
次に、利用者が、デジタルカメラのＭＥＮＵ−ＳＷ（ＳＷ６）（図１）を押下する（ステップＳ２５）。なお、帳票印刷の意味および印刷設定画面については前述のとおりである。これにより、ＣＰＵブロック１０４３は、プリンタから受信した印刷設定可能項目を参照して、ＬＣＤモニタ１０に印刷設定画面を表示する（ステップＳ２６）。なお、この場合の印刷設定画面については図６〜８に示すとおりである。印刷設定画面に設定されている値は、前回接続時の最後に設定した値となる。
次に、利用者は、デジタルカメラの左画像確認ＳＷ（ＳＷ１１）（図１）と、右ＳＷ（ＳＷ８）（図１）とを適当に押下することにより、印刷すべき印刷画像を選択する（ステップＳ２６）。次に、利用者は、ここで上／ストロボＳＷ（ＳＷ７）および下／マクロＳＷ（ＳＷ１０）を適当に押下して、項目を選択する（ステップＳ２７）。次に、利用者が、右ＳＷ（ＳＷ８）を押下すると、ＣＰＵブロック１０４３は、ＬＣＤモニタ１０に、選択した項目の具体的な選択値を選択する画面を表示する（ステップＳ２８）（図１４）。
【００３９】
次に、利用者は、ここで上／ストロボＳＷ（ＳＷ７）および下／マクロＳＷ（ＳＷ１０）を適当に押下して、項目の選択値を選択する（ステップＳ２９）。
次に、利用者は、ＯＫ−ＳＷ（ＳＷ１２）を押下する（ステップＳ３０）。これを受けて、ＣＰＵブロック１０４３は、ＬＣＤモニタ１０に、選択した項目の選択値を反映した印刷設定画面（図７参照）を表示する（ステップＳ３１）。
次に、カメラメモを印刷設定画面に表示するか否かを判断する方法について説明する。
図１５は、本実施の形態に係る撮像装置においてカメラメモを印刷設定画面に表示するか否かを判定するまでの処理手順の一例を示すフローチャートである。
まず、帳票印刷設定がＯＦＦ以外か否かを検証し、帳票印刷設定がＯＦＦ以外の場合はステップＳ４２に進み、帳票印刷設定がＯＦＦの場合はステップＳ４３に移る（ステップＳ４１）。なお、ここでは、図１４に示すように、帳票印刷として１コマ罫線有りが選択されているので、帳票印刷設定がＯＦＦ以外の場合となる。
【００４０】
ステップＳ４２では、帳票カメラメモ印字が可能であるので、ＣＰＵブロック１０４３は、ＬＣＤモニタ１０に、帳票カメラメモ印字の項目（図８参照）を表示し、処理を終了する。
ステップＳ４３では、帳票カメラメモ印字が不可能であるので、ＣＰＵブロック１０４３は、ＬＣＤモニタ１０に、帳票カメラメモ印字の項目が存在しない印刷設定画面を表示し、処理を終了する。
図１４は、本実施の形態に係る撮像装置において帳票カメラメモ印字が可能である場合の印刷設定画面の一例を示す説明図である。
同図に示す印刷設定画面では、帳票印刷設定の選択画面で、項目のＯＦＦは選択されておらず、ＯＦＦ以外の項目である１コマ罫線有りが選択されている。
なお、本発明に係る撮像装置の各構成要素の処理の少なくとも一部をコンピュータ制御により実行するものとし、かつ、上記処理を、図１０，１２，１３のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ，パーソナルコンピュータ，汎用コンピュータを範疇に含むコンピュータが、上記の記録媒体から上記プログラムを読み出して、実行するものとしてもよい。
【図面の簡単な説明】
【００４１】
【図１】本発明の実施の形態に係る撮像装置の外観図であり、（ａ）は平面図、図１（ｂ）は正面図、図１（ｃ）は背面図、をそれぞれ示す。
【図２】本発明の実施の形態に係る撮像装置の主要な回路構成を示すブロック図である。
【図３】本発明の実施の形態に係る撮像装置のモニタに表示される設定画面の一例を示す図である。
【図４】本発明の実施の形態に係る撮像装置のモニタに表示される設定画面の他の一例を示す図である。
【図５】本発明の実施の形態に係る撮像装置のモニタに表示される設定画面のさらに他の一例を示す図である。
【図６】本発明の実施の形態に係る撮像装置のモニタに表示される設定画面の一例を示す図である。
【図７】本発明の実施の形態に係る撮像装置のモニタに表示される設定画面のさらに他の一例を示す図である。
【図８】本発明の実施の形態に係る撮像装置のモニタに表示される設定画面のさらに他の一例を示す図である。
【図９】本発明の実施の形態に係る撮像装置の印刷設定項目の１つである帳票印刷の印刷形式を説明するための説明図である。
【図１０】本発明の実施の形態に係る撮像装置において画像データに付随する文字情報が表示されるまでの処理手順の一例を示すフローチャートである。
【図１１】本発明の実施の形態に係る撮像装置におけるカメラメモ情報の表示状態を示す説明図である。
【図１２】本発明の実施の形態に係る撮像装置において印刷設定項目の表示の有無を決めるまでの処理手順の一例を示すフローチャートである。
【図１３】本発明の実施の形態に係る撮像装置において印刷設定画面表示までの処理手順の一例を示すフローチャートである。
【図１４】本発明の実施の形態に係る撮像装置において帳票カメラメモ印字が可能である場合の印刷設定画面の一例を示す説明図である。
【図１５】本発明の実施の形態に係る撮像装置においてカメラメモを印刷設定画面に表示するか否かを判定するまでの処理手順の一例を示すフローチャートである。
【符号の説明】
【００４２】
１  サブＬＣＤ
２  ＳＤカード／電池蓋
３  ストロボ発光部
４  光学ファインダ
５  測距ユニット
６  リモコン受光部
７  鏡銅ユニット
８  ＡＦ−ＬＥＤ
９  ストロボＬＥＤ
１０  ＬＣＤモニタ
１０２  Ｆ／Ｅ−ＩＣ
１０３  ＳＤＲＡＭ
１０４  デジタルスチルカメラプロセッサ
１０４１  信号処理ブロック
１０４２  ＣＣＤ２信号処理ブロック
１０４３  ＣＰＵブロック
１０４４  Ｌｏｃａｌ  ＳＲＡＭ
１０４５  ＵＳＢブロック
１０４６  シリアルブロック
１０４７  ＪＰＥＧ−ＣＯＤＥＣブロック
１０４８  ＲＥＳＩＺＥブロック
１０４９  ＴＶ信号表示ブロック
１０４１０  メモリカードコントローラブック
１０５  音声ユニット
１０７  ＲＡＭ
１０８  ＲＯＭ
１０９  ＳＵＢ−ＣＰＵ
１１５  操作Ｋｅｙユニット
１２１  メモリカードスロットル
１２２  ＵＳＢコネクタ
１２３−２ＲＳ−２３２Ｃコネクタ
１３０  Bluetooth回路
ＳＷ１  レリーズシャッター
ＳＷ２  モードダイアル
ＳＷ３  ＺＯＯＭ−ＳＷ（ＷＩＤＥ）
ＳＷ４  ＺＯＯＭ−ＳＷ（ＴＥＬＥ）
ＳＷ５  セルフタイマ／削除ＳＷ
ＳＷ６  ＭＥＮＵ−ＳＷ
ＳＷ７  上／ストロボＳＷ
ＳＷ８  右ＳＷ
ＳＷ９  ＤＩＳＰＬＡＹ−ＳＷ
ＳＷ１０  下／マクロＳＷ
ＳＷ１１  左／画像確認ＳＷ
ＳＷ１２  ＯＫ−ＳＷ
ＳＷ１３  電源ＳＷ
【図１】
2006253741.tif 000003
【図２】
2006253741.tif 000004
【図９】
2006253741.tif 000005
【図１０】
2006253741.tif 000006
【図１２】
2006253741.tif 000007
【図１３】
2006253741.tif 000008
【図１５】
2006253741.tif 000009
【図３】
2006253741.tif 000010
【図４】
2006253741.tif 000011
【図５】
2006253741.tif 000012
【図６】
2006253741.tif 000013
【図７】
2006253741.tif 000014
【図８】
2006253741.tif 000015
【図１１】
2006253741.tif 000016
【図１４】
2006253741.tif 000017